(57)【特許請求の範囲】
【請求項１】
同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、
外周には、当該かしめリングの中心軸を通る面を挟んで一対の工具係止用突起が形成され、
しかも、当該かしめリングの外周面又は内周面には、当該かしめリングの一方の開口端から他方の開口端にかけて、当該かしめリングの切断を補助する溝部が形成されていることを特徴とする同軸ケーブルかしめリング。
【請求項２】
同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、
外周には、当該かしめリングの中心軸を通る面を挟んで一対の工具係止用突起が形成され、
しかも、当該かしめリングには、外周面から内周面にかけて貫通して当該かしめリングの切断を補助する孔部が形成されていることを特徴とする同軸ケーブルかしめリング。
【請求項３】
同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、
外周には、当該かしめリングの中心軸を通る面を挟んで一対の工具係止用突起が形成され、
しかも、当該かしめリングの開口端部には、当該かしめリングの切断を補助する切り欠きが形成されていることを特徴とする同軸ケーブルかしめリング。
【発明の詳細な説明】
【技術分野】
【０００１】
本発明は、同軸コネクタが嵌め込み接続された同軸ケーブルの先端周囲に配置され、外部からの締付操作により変形して、同軸ケーブルの先端に同軸コネクタを一体的に固着させる同軸ケーブルかしめリングに関する。
【背景技術】
【０００２】
従来、同軸ケーブルの先端に固定される同軸コネクタ１０は、例えば、図７（ａ）に示すように、同軸ケーブル２の芯線４の周囲の絶縁部材６とこの絶縁部材６の周囲の編組導体８との間に挿入可能な筒状の挿入部１２と、この挿入部１２の一端に設けられて同軸ケーブルを位置決めするための鍔部１４と、挿入部１２の同軸ケーブル側とは反対側に回動自在に設けられ、接続対象となる接栓等の外部導体に螺合可能なナット部１６とから構成されている。
【０００３】
そして、この種の同軸コネクタ１０を同軸ケーブル２に固定する際には、図７（ｂ）に示すように、挿入部１２を同軸ケーブル２の編組導体８の内側に挿入した後、その周囲に同軸ケーブルかしめリング２０（以下、単にかしめリング２０という）を配置して、かしめリング２０を締め付けることにより、同軸ケーブル２の外側から同軸ケーブル２と同軸コネクタ１０の挿入部１２とを一体的に固着させるのが一般的である（図７（ｃ）参照）。
【０００４】
また、かしめリング２０は、単にリング状に形成すると、締め付ける際に専用の工具が必要となることから、かしめリング２０には、図７（ｄ）、（ｅ）に示すように、その外周面に、かしめリング２０の中心軸を通る面を挟んで互いに平行となる一対の工具係止用突起２２、２４を設けることで、一般的なペンチ等でかしめリング２０の締付操作を行うことができるようにしたものも知られている（例えば、特許文献１等参照）。
【特許文献１】特開平１１−８０２１号公報
【発明の開示】
【発明が解決しようとする課題】
【０００５】
ところで、上記のようにかしめリング２０に一対の工具係止用突起２２、２４を設けた場合、専用工具を使用することなく、ペンチ等で、かしめリング２０の締付操作を極めて簡単に行うことができるようになるのであるが、かしめリング２０は、締付操作により同軸コネクタ１０と同軸ケーブル２とを一旦固着させると、簡単に取り外すことはできず、その取り外しには手間がかかるという問題があった。
【０００６】
このため、例えば、不要となった同軸ケーブル２から同軸コネクタ１０を取り外して、同軸コネクタ１０を再利用しようとしても、かしめリング２０があるので、同軸コネクタ１０を変形させることなく取り外すのが難しく、同軸コネクタ１０の再利用が難しいという問題があった。
【０００７】
本発明は、こうした問題に鑑みなされたものであり、同軸ケーブルの先端に同軸コネクタを一体的に固着させる同軸ケーブルかしめリングにおいて、その締付操作をペンチ等で行うことができるだけでなく、同軸ケーブルからの取り外し作業も簡単に行うことができるようにすることを目的とする。
【課題を解決するための手段】
【０００８】
かかる目的を達成するためになされた請求項１に記載の発明は、同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、外周には、当該かしめリングの中心軸を通る面を挟んで一対の工具係止用突起が形成され、しかも、当該かしめリングの外周面又は内周面には、当該かしめリングの一方の開口端から他方の開口端にかけて、当該かしめリングの切断を補助する溝部が形成されていることを特徴とする。
【０００９】
また、請求項２に記載の発明は、同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、外周には、当該かしめリングの中心軸を通る面を挟んで一対の工具係止用突起が形成され、しかも、当該かしめリングには、外周面から内周面にかけて貫通して当該かしめリングの切断を補助する孔部が形成されていることを特徴とする。
【００１０】
また次に、請求項３に記載の発明は、同軸コネクタが嵌め込み接続された同軸ケーブルの先端周囲に配置され、外部からの締付操作により変形して、前記同軸ケーブルの先端に前記同軸コネクタを一体的に固着させる同軸ケーブルかしめリングであって、外周には、当該かしめリングの中心軸を通る面を挟んで一対の工具係止用突起が形成され、しかも、当該かしめリングの開口端部には、当該かしめリングの切断を補助する切り欠きが形成されていることを特徴とする。
【発明の効果】
【００１１】
請求項１に記載の同軸ケーブルかしめリングにおいては、外周に一対の工具係止用突起が形成されるだけでなく、外周面又は内周面に溝部が形成されている。
このため、請求項１に記載の同軸ケーブルかしめリングによれば、同軸コネクタが嵌め込み接続された同軸ケーブルの先端周囲に配置して、一対の工具係止用突起をペンチ等で挟み、締め付けることで、同軸ケーブルの先端に同軸コネクタを簡単に固着することができる。
【００１２】
またこのように固着した状態で、同軸ケーブルかしめリングを同軸ケーブルから取り外す際には、工具係止用突起をペンチ等で挟み、捻るようにすればよい。
つまり、このようにすれば、他の部分よりも引っ張り強度が弱くなっている溝部に亀裂が入り、工具係止用突起を更に引っ張ることで、同軸ケーブルかしめリングを同軸ケーブル（詳しくは同軸ケーブルと同軸コネクタとの固着部分）から簡単に取り外すことができるようになる。
【００１３】
よって、請求項１に記載の同軸ケーブルかしめリングによれば、不要になった同軸ケーブルから同軸コネクタを取り外して、同軸コネクタを再利用する際に、同軸コネクタを変形させることなく簡単に取り外すことができるようになり、同軸コネクタの再利用を促進することができる。
【００１４】
次に、請求項２に記載の同軸ケーブルかしめリングにおいては、外周に一対の工具係止用突起が形成されるだけでなく、外周面から内周面にかけて貫通した孔部が形成されている。
【００１５】
このため、請求項２に記載の同軸ケーブルかしめリングによれば、請求項１に記載のものと同様、ペンチ等を用いて、同軸ケーブルと同軸コネクタとを簡単に固着できると共に、工具係止用突起をペンチ等で挟み、捻ることで、固着後の同軸ケーブルから簡単に取り外すことができる。
【００１６】
つまり、同軸ケーブルかしめリングに孔部を形成すれば、溝部を形成した場合と同様、その部分の引っ張り強度が他の部分よりも弱くなるため、工具係止用突起をペンチ等で挟み、捻れば、同軸ケーブルから簡単に取り外すことができる。
【００１７】
よって、請求項２に記載の同軸ケーブルかしめリングによれば、請求項１に記載のものと同様、同軸コネクタの再利用を促進することができる。
また次に、請求項３に記載の同軸ケーブルかしめリングにおいては、外周面に一対の工具係止用突起が形成されるだけでなく、当該かしめリングの開口端部に切り欠きが形成されている。
【００１８】
このため、請求項３に記載の同軸ケーブルかしめリングによれば、請求項１、２に記載のものと同様、ペンチ等を用いて、同軸ケーブルと同軸コネクタとを簡単に固着できると共に、工具係止用突起をペンチ等で挟み、捻ることで、固着後の同軸ケーブルから簡単に取り外すことができる。
【００１９】
つまり、同軸ケーブルかしめリングの開口端部に切り欠きを形成すれば、上述の溝部や孔部を形成した場合と同様、切り欠きを形成した部分の引っ張り強度が他の部分よりも弱くなるため、工具係止用突起をペンチ等で挟み、捻れば、同軸ケーブルから簡単に取り外すことができる。
【００２０】
よって、請求項３に記載の同軸ケーブルかしめリングによれば、請求項１、２に記載のものと同様、同軸コネクタの再利用を促進することができる。
【発明を実施するための最良の形態】
【００２１】
次に、本発明の実施形態を図面と共に説明する。
［第１実施形態］
図１は、本発明（請求項１）が適用された第１実施形態の同軸ケーブルかしめリング３０の構成を表す説明図であり、（ａ）は同軸ケーブルかしめリング３０を開口端側から見た正面図、（ｂ）は同軸ケーブルかしめリング３０を開口端とは直交する方向から見た側面図である。
【００２２】
図１に示すように、本実施形態の同軸ケーブルかしめリング３０（以下、単にかしめリング３０という）は、図６に示した従来のかしめリング２０と同様、その外周面に、かしめリング３０の中心軸を通る面を挟んで互いに平行となる一対の工具係止用突起２２、２４が設けられている。
【００２３】
これら一対の工具係止用突起２２、２４は、ペンチ等で挟み、締め付けた際に、かしめリング３０が変形して、工具係止用突起２２、２４の間隔が短くなるように、かしめリング３０の全周を２分割した半周領域（図では下側半分）に、所定間隔で平行に配置されている。そして、工具係止用突起２２、２４において、他の突起２４、２２との対向面とは反対側（つまり外側）の面には、ペンチ等の工具で挟んだ際に滑り止めとなる複数の突起が形成されている。
【００２４】
また、かしめリング３０の外周面において、工具係止用突起２２、２４が形成された領域とは反対側の半周領域には、当該かしめリング３０の中心軸を挟んで工具係止用突起２２、２４の中間点と対向する位置に、溝部２６が形成されている。
【００２５】
この溝部２６は、かしめリング３０の中心軸と略平行となるよう、かしめリング３０の一方の開口端から他方の開口端にかけて形成されている。
なお、本実施形態のかしめリング３０は、アルミ合金製であり、周知の引き抜き形成により工具係止用突起２２、２４や溝部２６を一体形成したアルミ管を作製し、そのアルミ管を所定の長さに切断することで作製されている。
【００２６】
上記のように構成された本実施形態のかしめリング３０によれば、図６に示した従来のかしめリング２０と同様、同軸コネクタが嵌め込み接続された同軸ケーブルの先端周囲に配置して、一対の工具係止用突起２２、２４をペンチ等で挟み、締め付けることで、同軸ケーブルの先端に同軸コネクタを簡単に固着することができる。
【００２７】
またこのように固着した状態で、かしめリング３０を同軸ケーブルから取り外す際には、工具係止用突起２２、２４をペンチ等で挟み、捻るようにすればよい。つまり、このようにすれば、他の部分よりも引っ張り強度が弱くなっている溝部２６に亀裂が入り、工具係止用突起２２、２４を更に引っ張ることで、かしめリング３０を同軸ケーブル（詳しくは同軸ケーブルと同軸コネクタとの固着部分）から簡単に取り外すことができるようになる。
【００２８】
よって、本実施形態のかしめリング３０によれば、不要になった同軸ケーブルから同軸コネクタを取り外して、同軸コネクタを再利用する際に、同軸コネクタを変形させることなく簡単に取り外すことができるようになり、同軸コネクタの再利用を促進することができる。
【００２９】
なお、本実施形態のように、かしめリング３０に、かしめリング３０の切断を補助する溝部２６を形成する場合、この溝部２６は、図２に示すように、かしめリング３０の内周面に設けるようにしてもよい。
【００３０】
また、図１及び図２に示したかしめリング３０では、溝部２６を、かしめリング３０の中心軸を挟んで工具係止用突起２２、２４の中間点と対向する位置に形成しているが、溝部２６を形成する位置は、適宜変更すればよく、例えば、図３に示すように、工具係止用突起２２、２４同士の対向面とは反対側（つまり外側）の面に沿って形成してもよい。
【００３１】
また更に、図１〜図３に示したかしめリング３０では、溝部２６を、かしめリング３０の中心軸に沿って形成しているが、この溝部２６は、かしめリング３０の中心軸周りを回転するように螺旋状に形成してもよい。
［第２実施形態］
図４は、本発明（請求項２）が適用された第２実施形態の同軸ケーブルかしめリング４０の構成を表す説明図であり、（ａ）は同軸ケーブルかしめリング４０を開口端側から見た正面図、（ｂ）は同軸ケーブルかしめリング４０を開口端とは直交する方向から見た側面図である。
【００３２】
図４に示すように、本実施形態の同軸ケーブルかしめリング４０（以下、単にかしめリング４０という）は、第１実施形態のかしめリング３０と同様、その外周面に、かしめリング４０の中心軸を通る面を挟んで互いに平行となる一対の工具係止用突起２２、２４が設けられている。
【００３３】
また、かしめリング４０において、上記一対の工具係止用突起２２、２４が突設された部分で、工具係止用突起２２、２４同士の対向面とは反対側（つまり外側）には、かしめリング４０の外周面から内周面にかけて貫通する孔部２８が穿設されている。
【００３４】
なお、本実施形態のかしめリング４０は、アルミ合金製であり、周知の引き抜き形成により工具係止用突起２２、２４を一体形成したアルミ管を作製し、そのアルミ管を所定の長さに切断し、更に孔部２８を穿設することで作製されている。
【００３５】
このように構成された本実施形態のかしめリング４０によれば、第１実施形態のかしめリング３０と同様、工具係止用突起２２、２４をペンチ等で挟み、締め付けることで、同軸ケーブルの先端に同軸コネクタを簡単に固着することができ、これらを固着した状態で、工具係止用突起２２、２４をペンチ等で挟み、捻るようにすれば、固着後の同軸ケーブルから簡単に取り外すことができる。
【００３６】
つまり、本実施形態のように、かしめリング４０に孔部２８を穿設しても、溝部２６を形成した場合と同様、その部分の引っ張り強度が他の部分よりも弱くなるため、工具係止用突起２２、２４をペンチ等で挟み、捻れば、同軸ケーブルから簡単に取り外すことができる。よって、本実施形態のかしめリング４０によれば、第１実施形態のかしめリング３０と同様、同軸コネクタの再利用を促進することができる。
【００３７】
なお、本実施形態のように、かしめリング４０に、かしめリング４０の切断を補助する孔部２８を形成する場合、この孔部２８は、必ずしも工具係止用突起２２、２４の突設部分に形成する必要はなく、例えば、かしめリング４０の中心軸を挟んで工具係止用突起２２、２４の中間点と対向する位置に１個だけ形成するようにしてもよい。つまり、孔部２８の穿設位置や個数は、適宜設定すればよい。
［第３実施形態］
図５は、本発明（請求項３）が適用された第３実施形態の同軸ケーブルかしめリング５０の構成を表す説明図であり、（ａ）は同軸ケーブルかしめリング５０を開口端側から見た正面図、（ｂ）は同軸ケーブルかしめリング５０を開口端とは直交する方向から見た側面図である。
【００３８】
図５に示すように、本実施形態の同軸ケーブルかしめリング５０（以下、単にかしめリング５０という）は、第１、第２実施形態のかしめリング３０、４０と同様、その外周面に、かしめリング５０の中心軸を通る面を挟んで互いに平行となる一対の工具係止用突起２２、２４が設けられている。
【００３９】
また、かしめリング５０において、上記一対の工具係止用突起２２、２４が突設された部分で、工具係止用突起２２、２４同士の対向面とは反対側（つまり外側）には、かしめリング５０の両開口端から内側にかけて切り欠き２９が形成されている。
【００４０】
なお、本実施形態のかしめリング５０は、アルミ合金製であり、周知の引き抜き形成により工具係止用突起２２、２４を一体形成したアルミ管を作製し、そのアルミ管を所定の長さに切断し、更に、両開口端側から切り欠きを形成することで作製されている。
【００４１】
このように構成された本実施形態のかしめリング５０によれば、第１、第２実施形態のかしめリング３０、４０と同様、工具係止用突起２２、２４をペンチ等で挟み、締め付けることで、同軸ケーブルの先端に同軸コネクタを簡単に固着することができ、これらを固着した状態で、工具係止用突起２２、２４をペンチ等で挟み、捻るようにすれば、固着後の同軸ケーブルから簡単に取り外すことができる。
【００４２】
つまり、本実施形態のように、かしめリング５０に切り欠き２９を形成しても、溝部２６や孔部２８を形成した場合と同様、その部分の引っ張り強度が他の部分よりも弱くなるため、工具係止用突起２２、２４をペンチ等で挟み、捻れば、同軸ケーブルから簡単に取り外すことができる。よって、本実施形態のかしめリング５０によれば、第１、第２実施形態のかしめリング３０、４０と同様、同軸コネクタの再利用を促進することができる。
【００４３】
なお、本実施形態のように、かしめリング５０に、かしめリング５０の切断を補助する切り欠き２９を形成する場合、この切り欠き２９は、必ずしも工具係止用突起２２、２４の突設部分に形成する必要はなく、例えば、かしめリング５０の中心軸を挟んで工具係止用突起２２、２４の中間点と対向する位置に両開口端側から各々形成してもよく、或いは、一方の開口端側から形成してもよい。つまり、切り欠き２９の形成位置や個数は、適宜設定すればよい。
【００４４】
以上、本発明の実施形態について説明したが、本発明は、上記実施形態に限定される物ではなく、本発明の要旨を逸脱しない範囲内にて種々の態様をとることができる。
例えば、上記実施形態では、かしめリング３０、４０、５０には、リングの中心軸を通る面を挟んで互いに平行となるように工具係止用突起２２、２４が突設されるものとして説明したが、工具係止用突起２２、２４は、図６（ａ）に示す同軸ケーブルかしめリングＡのように、リングの中心軸を通る面を挟んでハの字状に広がるように突設されていてもよく、或いは、図６（ｂ）に示す同軸ケーブルかしめリングＢのように、リングの一部を変形させることで形成されていてもよい。
【００４５】
つまり、本発明は、リングの中心軸を通る面を挟んで略面対称となるように工具係止用突起２２、２４が形成されている同軸ケーブルかしめリングであれば、どのようなタイプのものであっても、上記各実施形態と同様に適用して、同様の効果を得ることができる。
【００４６】
また、例えば、上記実施形態では、かしめリング３０、４０、５０はアルミ合金製であるものとして説明したが、本発明は、真鍮製の同軸ケーブルかしめリングであっても、上記実施形態と同様に適用して、同様の効果を得ることができる。
【図面の簡単な説明】
【００４７】
【図１】第１実施形態の同軸ケーブルかしめリングの構成を表す説明図である。
【図２】第１実施形態の同軸ケーブルかしめリングの第１の変形例を表す説明図である。
【図３】第１実施形態の同軸ケーブルかしめリングの第２の変形例を表す説明図である。
【図４】第２実施形態の同軸ケーブルかしめリングの構成を表す説明図である。
【図５】第３実施形態の同軸ケーブルかしめリングの構成を表す説明図である。
【図６】本発明を適用可能なかしめリングの他の構成例を表す説明図である。
【図７】従来の同軸ケーブルかしめリングの構成及びその使用方法を説明する説明図である。
【符号の説明】
【００４８】
２…同軸ケーブル、４…芯線、６…絶縁部材、８…編組導体、１０…同軸コネクタ、１２…挿入部、１４…鍔部、１６…ナット部、２０，３０，４０，５０，Ａ，Ｂ…同軸ケーブルかしめリング、２２，２４…工具係止用突起、２６…溝部、２８…孔部、２９…切り欠き。
【図１】
0004980972.tif 000002
【図２】
0004980972.tif 000003
【図３】
0004980972.tif 000004
【図４】
0004980972.tif 000005
【図５】
0004980972.tif 000006
【図６】
0004980972.tif 000007
【図７】
0004980972.tif 000008